(57)【要約】      （修正有）【課題】決定キーや移動キーを使用しないですみ、また、指の移動が少なくてすむ文字入力方式を提供する。【解決手段】同一文字入力キーによる早押しを繰り返して、指定する文字の押下回数ぶん早押しすると一押し毎、文字入力箇所に緑等の色彩表示Ａが点滅し、押下１回毎の文字の表示は実行されないので、色彩光の点滅回数によって指定する文字を入力するタイミングがとりやすくなる。また、文字モードにおいて、一文字入力の初回操作において、番号キーを１回Ｌ秒以上長押しをすると、押下した番号キーの該当数字の入力が確定できる。【選択図】図１６
2008234666.tif 000002
【特許請求の範囲】
【請求項１】
少なくても０から９までの全数字の入力が可能な番号キーを含む１３個以内の文字入力キーを有する通信機器のＴ秒未満で毎押下することによって文字が入れ替わるトグル方式のアルファベットモードにおいて、指定する文字の担当キーをＴ秒未満で毎押下して、指定する文字の該当回数ぶん押下した後に、再度同一キーをＴ秒以上１回長押しすることで、指定する文字の入力が確定することを特徴とすトグル方式による文字入力機能及び文字入力ナビゲート装置。
【請求項２】
トグル方式によるアルファベットモードにおいて、文字入力キーを長押しすると小文字から大文字に切り替わる機能がある場合は、指定する大文字を担当キーによって該当回数ぶん押下した後に、再度同一キーをＴ秒以上１回長押しすることで、指定する大文字の入力が確定することを特徴とするトグル方式による文字入力機能及び文字入力ナビゲート装置。
【請求項３】
Ｔ秒未満で毎押下することによって文字が入れ替わるトグル方式の仮名モードにおいて、指定する文字の担当キーをＴ秒未満で毎押下して、指定する文字の該当回数ぶん押下した後に、再度同一キーをＴ秒以上１回長押しすることで、指定する仮名文字の入力が確定することを特徴とするトグル方式による文字入力機能及び文字入力ナビゲート装置。
【請求項４】
トグル方式による仮名モードにおいて、ア行１番キーとタ行４番キーとヤ行８番キーの小文字を入力する場合は、上記各小文字を入力する初回押下操作を、Ｔ秒以上長押しすることで、小文字のみ又は小文字から入力できる切替機能を有することを特徴とする請求項３記載のトグル方式による文字入力機能及び文字入力ナビゲート装置。
【請求項５】
トグル方式によるアルファベットモード及び仮名モードにおいて数字を入力するには、一文字入力の初操作において該当番号キーを、長押し設定時間Ｌ秒以上長押しすることで当確数字が入力できることを特徴とする請求項１，３の内の１に記載のトグル方式による文字入力機能及び文字入力ナビゲート装置。
【請求項６】
カーナビゲーションシステムのタッチパネル表示部に表示された文字入力キーを使った目的地の住所の入力やインターネットのキーワード検索におけるキーワードの入力において文字入力キーのみによる文字入力確定手段及び文字モードにおける数字入力手段を上記した操作機能形態によって行うことを特徴とする請求項１，２，３，４，５の内の１に記載のトグル方式による文字入力機能及び文字入力ナビゲート装置。
【請求項７】
トグル方式による文字モードにおいて、文字入力キーを毎押下すると、文字入力箇所に色彩表示Ａが瞬時に点滅し、文字入力キーをＳ秒以内の時間間隔で押下を繰り返すと、指定する文字の一つ前のもじまでは画面表示されず、色彩表示Ａのみが毎押下ごとに点滅することを特徴とするトグル方式による文字入力機能及び文字入力ナビゲート装置。
【請求項８】
通信機器を購入後、最初にメール等の文字入力設定画面を選択すると、文字入力を行う前に同機の画面上に、文字入力機能及び文字入力操作方法を説明する画面表示が表れ、その説明表示は初回または初期のみに表示する機能形態を有することを特徴とするトグル方式による文字入力機能及び文字入力ナビゲート装置。
【発明の詳細な説明】
【技術分野】
【０００１】本発明は携帯電話やメール機能付固定電話やＰＤＡやカーナビゲーションや双方向通信機能付ＴＶのリモコン等、通信機器の入力部に設置されたテンキー等１２前後の少数キーを使ったトグル方式による文字入力手段において、文字入力キーの１回ごとの押下を明示する色彩表示や、文字入力キーのみによる文字入力確定機能や、今までにない文字入力方式や新しい機能を前もって説明する通信機器の装置に関する。
【背景技術】
【０００２】メール機能が付いた固定電話や携帯電話は、通信ネットワークに接続して電子メールを送受信できる機能を備えている。そして、小型通信機器は電子メールによって文字メッセージや画像等を相手方に送信するのであるが、小型であるがゆえにテンキー等の少数キーによる文字入力手段をとる。また、カーナビゲーション機器も、住所の入力等をタッチパネル上に表示された少数キーによって文字入力する機能形態であり、ＴＶリモートコントローラーも、文字入力に関しては同し少数キーによる文字入力手段によって入力する機能形態である。上記通信機器はキーの数が少ないために、各文字入力キーが複数の文字を分担する形態をとる。例えば、トグル方式によるアルファベット文字入力ならば、ＡＢＣが２番キーで、ＤＥＦは３番キーというぐあいに、複数の文字を一つの文字入力キーが受け持ち、各キーを連続して押下する回数に応じて、各キーが受け持つ文字の入力が出来るようになっている。また、ＰＤＡはタッチパネルを使って、各文字のキー入力箇所を割いているが、小型であるがために各キーのタッチ面積が小さく、ペンタッチによる文字入力手段の操作形態である。
【特許文献】特願２００７−１９５１８７
【発明の開示】
【発明が解決しようとする課題】
【０００３】従来のトグル方式による文字入力手段には、色々な欠点がある。その一つは、文字入力キーの早押しを繰り返すと、毎押下ごとの文字表示が遅れることにより、画面を見て指定する文字まで入力操作を行うと、一つ先の文字の入力までいってしまうことがよくある。どうしても早押しを繰り返すと、文字入力処理に時間がかかってしまうので、特に若い人が文字入力操作をすると、だいぶタイムラグがしょうじることにより、文字入力操作のタイミングがとりずらい。二つ目は、各文字入力キーが担当する文字を続けて入力する場合、例えばａの次はｂを入力する場合に、ａを入力した後に決定キーを押すか、次に入力する箇所を一文字分移動させてから、次にｂを入力する必要がある。【０００４】次の欠点として、アルファベットモードでの数字入力が可能な機種は多いが、各番号キーの負担が増えるわけで、各キーの担当文字列の後に加えるにしても、数字を入力するには何回も当該番号キーを押下しなければならない。
また、最近は年配者の方も携帯電話を使用するようになったが、中にはメール機能を使用したいのであるが、文字入力の操作が分からずに戸惑っている人もいるようである。
【課題を解決するための手段】
【０００５】上記課題を解決するために、トグル方式による文字モードにおいて、一つの文字入力キーが担当する文字の内の後順の文字を入力するのに、Ｓ秒以内で早押しを繰り返すと、毎押下ごとの押下回数に応じた文字表示は表れず、文字入力箇所には緑等の色彩表示Ａが押下ごとに瞬時に点滅するかたちで、ユーザーは文字をおわずに色彩表示を見ることで、一押しごとに緑等の色彩表示が点滅するので、文字が替わったことを理解できる仕組みとなっている。ただし、ゆっくりキーを毎押下する場合は、色彩表示が点滅した後に押下回数に合った文字が表示される。また、文字入力キーを長押しすることで、文字入力機能が変わる場合や、下記した長押しで文字が確定できる場合や、長押しすることで数字が入力できる場合は、キーの押下直後に色彩表示Ａが点滅した後に、上記長押し設定時間辺りで再度色彩表示Ｂが点滅する。よって上記入力機能が切り替わったことを色彩光で確認できるので、必要以上にキーを押し続けることなく、キーを放すタイミングがとりやすい。【０００６】また、同一文字入力キーによる担当文字を続けて複数入力する場合に、例えばａの後にｂを入力する場合は、２番キーをＴ秒未満で１回押下した後に、再度２番キーをＴ秒以上で長押しすることで、ａの入力が確定した後に、再度２番キーを毎Ｔ秒未満で２回押下することでｂが入力できるかたちで、次に他の番号キーを１回押下すればｂの入力は確定できるし、今押下したキーが担当する一番目の文字が入力することとなる。また、従来の機能による移動キーの操作や決定キーを押すかたちでのａの入力確定の機能も併用する。【０００７】また、従来のトグル方式による数字入力と異なり、本特許はトグル方式による文字モードにおいて、一文字入力の初操作において、当該番号キーを設定時間Ｌ秒以上長押しすることで、押下した番号キーの当確数字が入力できる機能も備えている。
また、通信機器を購入後に最初のメール等の文字入力設定を実行すると、文字入力を行う前に同機の画面上に、文字入力に関する文字入力操作方法や色彩表示の意味を説明する画面表示が表れ、その説明表示画面は最初又は初期のみに表示する機能を有することで、新しい文字入力方法であっても、説明書を読む必要がなくなる。また、本特許の新しい機能の説明だけでなく、他の特許の新たな機能等の説明表示にも役立つ。
【発明の効果】
【０００８】上記したごとく、従来の通信機器の少数キーによるトグル方式での文字入力において、同一文字入力キーが担当する複数の文字を続けて入力する場合に、本発明のトグル方式による文字確定手段を使うと、いちいち決定キーや移動キーを使用しなくてすむということは、指の移動が少なくてすむので文字入力が速やかに行える。
また、本発明の文字モードにおける数字入力手段を使うと、従来のトグル方式と異なり、何回も文字入力キーを押下したり、数字モード設定にしなくても、ただ該当番号キーを長押しするだけで数字を入力することができる。【０００９】また、通信機器の機種によって多少異なるが、文字入力キーの早押しを繰り返すと、毎押下ごとの該当文字の画面表示が遅いので、間違えて一つ先の文字入力までいってしまうことが、よくある。この場合も、本発明の色彩表示手段ならば、早押しを繰り返す場合は、毎押下ごとの該当文字は表示されずに、毎押下ごとに色彩表示光が点滅するから、その点滅回数によって指定する文字入力が確認できるので、後順の文字入力も素早く的確な文字入力操作が可能となる。【００１０】また、本発明のトグル方式による仮名モードにおいて、小文字担当の番号キーのみ、一文字入力の初操作を、Ｔ秒以上長押しすると小文字のみ又は小文字から入力できるので、何回も担当キーを押下する従来のトグル方式から開放される。
更には、通信機器を購入後の最初のメール等の文字入力設定になると、文字入力を行う前に同機の画面上に、上記の新たな文字入力操作方法を説明する画面表示が出るので、説明書を読まなくてもユーザーは新たな文字入力手段を知ることができる。
以上のことにより、従来のトグル方式から成る通信機器に、本特許の新たな文字入力手段や、その手段をサポートする色彩表示手段や、その内容を説明する画面表示手段を加えることで、従来のトグル方式による通信機器よりも、更に使いやすい通信機器を世の中の人々に提供することができる。
【発明の実施するための最良の形態】
【００１１】本発明の実施の形態を明記するにあたり本発明の機能を持った通信機器の内で携帯電話を主に用いて説明を行う。まず、従来の携帯電話の基本形態の内の制御部は、マイクロコンピューター等を主制御として備え、各部を制御するもので、その制御機能としては自機と局とを接続して音声や個人情報等を表示する機能や送信メッセージエリアに予め記憶させておいた文字や画像等を、ペイジャーや他の端末やパソコン通信ごと業者に送信する機能を備えている。更に、トグル入力手段、日本語の場合は漢字変換制御手段、タイマ等を備えている。
【００１２】また、メモリ部はＲＯＭやＲＡＭ等の半導体メモリを記憶媒体としたもので、この記憶媒体には制御部の制御プログラムや制御データー、自機の設定データーを記憶するエリアが設けられている。そして、メモリ部には送信メッセージ記憶エリアやトグル入力データ記憶エリア等が設けられていて、ユーザーがキー入力部の少数キーを操作して指定する文字等を、それぞれ対応する所定のテキストコードで記憶するエリアがある。また、各種フラグや各種カウンタ等も備えている。
【００１３】次に、従来のトグル方式による文字入力手段を説明すると、アルファベットモードにおいてはテンキーに２６文字を、だいたい均等に分担させている。そして、トグル入力制御手段は文字データの入力をトグル方式によって受け付ける制御を行うもので、文字入力キーから連続して入力される同じ数字データ毎に、トグル入力データ記憶エリアのテーブルを参照して、入力された数字データと、その連続入力回数とに対応する文字等のテキストコードを求め、このコードを送信メッセージ記憶エリアに格納する。
【００１４】以下本発明の内の請求項１の説明にうつる。
この案の一番の特徴は、文字入力キーをＴ秒未満で毎押下する場合は、上記した従来のトグル方式と入力形態は変わらない。そして、指定する文字の担当キーを該当回数ぶん、毎Ｔ秒未満で押下した後に、再度同一キーを１回Ｔ秒以上押し続けて放すことで、指定する文字の入力が確定する。      同案は、同一文字入力キーを使って、同キーが担当する文字を複数続けて入力する時に移動キーや決定キーを使用しなくても、文字入力キーのみだけで、各文字入力キーが担当する複数の文字を続けて入力が可能となる。
【００１５】具体例をもって説明すると「ｂａｇ」を入力する場合に、ａｂが２番キーが担当し、ｇが４番キーが担当する場合は、２番キーを２回ともＴ秒未満で押下すると「ｂ」が入力する。次に再度２番キーを１回Ｔ秒以上長押しすることで「ｂ」の入力が確定する。次に２番キーを１回Ｔ秒未満で押下すると「ａ」が入力できる。次の「ｇ」は４番キーをＴ秒未満で１回押下すると、「ａ」の入力が確定し「ｇ」が入力する。また、ｂａｃｇと入力する場合は、ａも入力した後に再度２番キーをＴ秒以上長押しすることでａの入力が確定した後は、上記したかたちの入力操作を行う。
【００１６】また、押下回数のカウントの仕方に関して、二通りの方法がある。一つ目は、文字入力キーを押してから放さないと、＋１カウントされないカウント方法で、ｂの入力が確定できるまでを説明すると、２番キーを２回ともＴ秒未満で押してから放すと、＋２カウントとなり２の数字データと＋２カウントによってｂが入力できる。そして、再度２番キーをＴ秒以上押し続けてから放すと、「Ｔ秒経過による文字確定制御手段」と「Ｔ秒経過による文字確定制御プログラム」により、ｂの入力が確定する。
【００１７】もう一つは、２番キーを押すだけでカウントする加算方法で、＋２カウントによってｂが入力できる。次に、再度２番キーを押すと＋１カウントされる。更に押し続けてＴ秒経過すると−１カウントした後に、「Ｔ秒経過による文字確定制御手段」と「Ｔ秒経過による文字確定制御プログラム」によって、ｂの入力が確定する。
【００１８】また、毎押下のＴ秒未満かＴ秒以上かの、Ｔ秒の計測方法を二例をもって説明する。メモリ部の「Ｔ秒経過判定カウンタ」により計測し、Ｔ秒を経過すると「Ｔ秒経過判定フラグ」により文字確定の制御によりｂの入力が確定する。そして、この計測は毎押下ごとに計測し、「Ｔ秒経過判定フラグ」がＯＦＦの時、「Ｔ秒経過判定カウンタ」の値を１減らし、文字入力キーを押すと上記カウンタが作動し、Ｔ秒を経過するとＴ秒経過判定カウンタが０になると、Ｔ秒経過判定フラグをＯＮにする。そして、制御部はＯＮの判定を検知して「文字確定の制御」を行う。また、制御部は文字入力キーを毎押下ごとに「Ｔ秒経過判定カウンタ」「Ｔ秒経過判定フラグ」の初期化を行う。
【００１９】もう一つの、計測方法として制御部の「タイマ」によって計測する方法で、メモリ部に「Ｔ秒設定」を設けて、文字入力キーを押すとタイマはスタートし、Ｔ秒経過すると「Ｔ秒経過による文字確定制御手段」と「Ｔ秒経過による文字確定制御プログラム」により、文字が確定する。この計測も、押下毎に計測する。
【００２０】そして、上記内容の機能形態を有した携帯電話の回路ブロック図が図１であり、図２は本特許のアルファベット文字テーブルの一例であり、図３はｂの入力から確定までのフローチャートである。
【００２１】次の請求項２の案は、トグル方式によるアルファベットモードにおいて、一文字入力の初回操作において、文字入力キーを設定時間以上長押しすると、大文字から入力できる機能形態において、指定した大文字の入力後、再度同一キーを１回Ｔ秒以上長押しすることで、指定した大文字の入力が確定する。よって、前記した案と仕組みはなんら変わらない。ただ、文字入力の初操作において、大文字から入力できる設定時間以上長押しは、各キーの一番目の大文字の入力が可能になるだけなので、大文字を確定するには同一キーを２回以上は押下しないと確定はできない。図４はＦが確定するまでのフローチャートであり、図５は本案のアルファベット文字テーブルの一例である。
【００２２】次の請求項３の案は、上記した００２０までの機能形態と同じではあるが、この案は仮名モードにおいての、文字入力キーのみによる文字確定手段であり、アルファベットモードと同じく、指定する文字の該当回数ぶんＴ秒未満で毎押下した後に、再度同一キーをＴ秒以上１回長押しすることで、指定した仮名文字の入力が確定する。そして、図６は本案の仮名文字テーブルの一例である。そして、図７はアの入力が確定するまでのフローチャートである。
【００２３】次に、トグル方式による仮名モードにおいて、ア行１番キーとタ行４番キーとヤ行８番キーのみ、一文字入力の初回操作において上記キーをＴ秒以上長押しすることで、小文字のみ又は小文字から入力できる機能形態であり、他の文字入力キーを初回Ｔ秒以上長押ししても、各文字入力キーが担当する一番目に登録された文字が入力できるだけである。図８は上記番号キーのみの仮名文字テーブルであり、同テーブルの一番目には数字１，４，８が登録されたかたちでも良い。また、請求項２のアルファベット文字テーブルも一番目に数字が登録してある方が都合がよい。図９は「小文字のヤ」が入力されるまでのフローチャートである。そして、この制御を行うには「Ｔ秒経過による仮名小文字切替制御手段」と「Ｔ秒経過による仮名小文字切替制御プログラム」が必要となる。
【００２４】次に請求項５の案の説明を行う。この案は、請求項１と請求項３の案に加えるかたちとなる。アルファベットモードや仮名モードにおいて、各番号キーをＬ秒以上押し続けてから放す長押しをすると、当該番号キーの当確数字が入力できる機能形態を有している。この場合、文章作成の最初もしくは、前の文字や数字が確定しているか、前の文字等と担当キーが異なる番号キーを押下する初回に指定する数字の当該番号キーを、Ｌ秒以上長押しすることで当確数字が入力できる。そして、請求項１，３は指定する文字を該当回数ぶん毎Ｔ秒未満で押下した後に、再度同一キーをＴ秒以上長押しすると指定した文字の入力が確定するからして、初操作はＴ秒未満で押下となり、この案の初操作は長押しなので、Ｌ秒＝Ｔ秒でもよい。そして、図１０は文字モード用の数字テーブルで有る。
【００２５】また、Ｌ秒の計測に関して、上記したようにＬ秒＝Ｔ秒でもいいし、Ｔ秒とは時間が異なる場合も、設定時間が異なるだけなので、計測方法は省く。
よって、「Ｌ秒設定」や「Ｌ秒経過判定カウンタ」「Ｌ秒経過判定フラグ」をメモリ部に設置し、「文字モード用Ｌ秒経過による数字入力制御手段」と「文字モード用Ｌ秒経過による数字入力制御プログラム」によって、文字モードのまま当該番号キーの当確数字の入力が可能となる。図１１は数字１の入力が確定するまでのフローチャートである。
【００２６】この案は、今まで説明してきた機能形態を使ってカーナビゲーションシステムのタッチパネル表示部に表示された文字入力キーを使って「目的地の住所」の入力やインターネットの「キーワード検索」におけるキーワードの入力においての「文字入力手段」として、本特許のトグル方式による文字入力機能を使用することの説明である。
【００２７】携帯電話の内のスマートフォンは、コンピュータネットワークに自由にアクセスできる機種である。ネットワークアクセスにおいて、キーワード検索は使用することが多い。
検索にはキーワードを入力しなければならない。その文字や数字を少数キーから成る、文字入力キーによって入力手段として、本特許のトグル方式による文字入力機能を使うことで、今まで以上に入力が楽になる。そして、図１２はスマートフォンのキーワード検索画面の一例である。
【００２８】また、ＰＤＡも指タッチ機能が有る場合は、少数キーでないとスペースが採れない。
この場合も、テンキー（番号キー）等に文字分担するかたちなので、本特許は使える。又、カーナビゲーションシステムのタッチパネル表示部に表示された少数キー（文字入力キー）を使って「目的地の住所」や電話番号を入力する操作機能形態にも本特許を使用することができる。図１３はそのタッチパネル表示部の「目的地の住所」画面の一例である。
【００２９】また、最近のＴＶ機器はデジタルであり、地上波デジタル放送が実施されていて、これからは局との双方向通信も可能となる。また、ＰＣとＴＶ機器の融合機もあり、リモートコントローラーのチャンネルキーに文字入力キーを併設したものも多く出回っている。この場合の、各文字入力キーの文字担当も携帯電話の文字入力のキーの配分と同じであるので、これらのリモートコントローラーにも本発明の機能形態を使用することができる。
【００３０】同コントローラーは赤色ダイオード等赤外線を発するものとキーコントローラー等からなり、通常のＴＶ番組を見るにはチャンネルキーとして操作し、見たい番組を見るわけだが、ネットに接続して文字入力手段を使う場合は、チャンネルキーが文字入力キーとなり、各キー信号をデジタル信号にした赤外線信号により、ＴＶ本体の赤外線センサに送られる。そして、受信部からのながれは前記した内容と変わらないので説明は省く。
【００３１】次に、請求項７の説明を行う。この案は、トグル方式による文字モードにおいて、文字入力キーを毎押下すると、通信機器の表示部の文字入力箇所に色彩表示Ａが瞬時に点滅する仕組みである。何故この様な仕組みにする分けは、文字入力中に文字入力キーの早押しを繰り返すと、毎押下ごとの文字表示が遅れることにより、画面を見ながら指定する文字までの入力操作を行うと、一つ先の順番の文字入力までいってしまうことがよくある。
【００３２】どうしても早押しを繰り返すと、各文字の入力処理に時間がかかってしまうので、特に若い人が文字入力操作を繰り返すと、各文字入力表示に時間がかかりタイムラグがしょうじて、文字入力操作のタイミングがとりずらい。そこで、ある一定の時間間隔以内で文字入力キーの押下を繰り返すと、文字は画面表示されずに押下毎に瞬時に色彩表示Ａが点滅することで、その点滅回数によって今押した回数は何の文字かが把握できる分けで、０．７秒とか０．５秒（Ｓ秒）の間隔で押下を繰り返す場合は、緑等の色彩表示Ａの表示だけの方が文字入力の操作がしやすい。
【００３３】そして、図１４はアルファベットモードにおいて、７番キーがｐｑｒｓ担当だとして、ｓを指定するのにＳ秒間隔以内で押下を繰り返してＳの入力までの、色彩表示Ａの点滅回数と時間経過を表した図である。また、この制御を行うには「キーの押下による色彩表示制御手段」と「キーの押下による色彩表示制御プログラム」が必要となる。図１５は７番キーを１回Ｔ秒未満で押し放した時の、色彩表示Ａとｐの入力の相関を表したフローチャートである。
また、この色彩表示手段は他の長押し設定時間の経過を知らせる、手段にも使える。私が最近出願した特願２００７−１９５１８７はトグル方式からマトリックス方式の切替に文字入力キーを長押し設定時間が経過する時に色彩表示が文字入力箇所に表れることで、キーの放すタイミングがよりやすい等の、切替設定時間や文字の確定するための長押し設定時間や他の機能に切り替わるための長押し設定時間の経過の合図として出願したが、この特許案と本案を使って、指定する文字の確定手段を行うのにＴ秒以上の長押しする時のＴ秒経過時やＬ秒経過時の色彩表示を使った合図として使う。例えば、Ａの入力は完了済で再度同一キーをＴ秒以上長押しして、Ａの入力を確定する場合に、キーを押すと瞬時に緑等の色彩表示Ａが点滅した後に、少し時間をおいてＴ秒経過すると赤等の色彩表示Ｂが点滅することで、キーを放すタイミングがとりやすく、図１６はそのフローチャート。
【００３４】次に、請求項８の案の説明を行う。この案は、通信機器を購入後、最初にメール等の文字入力設定画面を選択すると、文字入力を行う前に同機の画面上に、文字入力機能及び文字入力操作方法を説明する画面表示が自動的に表れ、その説明表示は初回または初期のみに表示する機能を有している。
【００３５】例えば、本特許の機能を説明するのであれば、同一文字入力キーのみで文字の確定や文字モードによる数字入力を説明するのであれば、１「指定する文字の担当キーを該当回数ぶんＴ秒未満で毎押下した後に、再度同一キーを１回Ｔ秒以上長押しすることで、指定する文字のに入力が確定できる。」、２「一文字入力の初操作において、入力したい数字の当該番号キーを初回Ｌ秒以上長押しすることで、当確数字が入力できる。」
【００３６】以上のような説明文と、例を画面表示することで、解説書を読まなくても新しい機能をユーザーに伝えることができる。図１５は、その通信機器の画面表示の一例である。この案は、本特許だけでなく他の特許で新しい文字入力機能形態の説明にも使える。
【００３７】また、この自動説明表示は通信機器の購入後の最初のみ文字入力設定すると自動表示するかたちでもいいし、初期のみで例えば３回のみ自動説明表示する設定にする。
例えば、３回表示する設定にする場合は、上記「説明表示」を３回表示するように３カウントに設定し、１回の表示ごとに−１カウントして、０カウントになったら表示しないようにプログラムをくめばよい。
【００３８】この制御を行うには、「自動説明表示制御手段」と「自動説明表示制御プログラム」が必要となる。また、今まで明記した新たな「制御手段」と「制御プログラム」を加えたものを図１６で表した。
また、Ｔ秒やＬ秒は同じ時間でもいいし、異なるとしても両方とも０．５秒から１秒程がベストである。
【産業上の利用可能性】
【００３９】本発明の機能形態を使用する機器として、携帯電話だけでなくカーナビゲーションシステムのタッチパネル表示部のキー入力手段にも利用できる。また、ＰＤＡのタッチキー入力手段にも、ＴＶのリモートコントローラーに設置された文字入力キーのキー入力手段としても使える。
【図面の簡単な説明】
【００４０】
【図１】本特許の機能を有した携帯電話の回路ブロック図
【図２】アルファベット文字テーブルの一例
【図３】ｂの入力から確定までのフローチャート
【図４】Ｆが確定するまでのフローチャート
【図５】アルファベット大文字テーブルの一例
【図６】仮名文字テーブルの一例
【図７】アの入力が確定するまでのフローチャート
【図８】仮名小文字テーブルに数字も登録したテーブルの一例
【図９】小文字ヤが入力するまでのフローチャート
【図１０】文字モード用数字テーブル
【図１１】数字１が入力するまでフローチャート
【図１２】キーワード検索画面の一例
【図１３】カーナビゲーションのタッチパネル表示部の目的地入力画面の一例
【図１４】色彩表示Ａの点滅と時間経過を示す図
【図１５】ｐの入力と色彩表示Ａの相関を表したフローチャート
【図１６】入力したＡが確定するまでの色彩表示ＡとＢの相関を表したフローチャート
【図１７】新たな文字入力機能の説明画面表示
【図１８】本特許の全機能形態を有した部分ブロック図
【図１】
2008234666.tif 000003
【図２】
2008234666.tif 000004
【図３】
2008234666.tif 000005
【図４】
2008234666.tif 000006
【図５】
2008234666.tif 000007
【図６】
2008234666.tif 000008
【図７】
2008234666.tif 000009
【図８】
2008234666.tif 000010
【図９】
2008234666.tif 000011
【図１０】
2008234666.tif 000012
【図１１】
2008234666.tif 000013
【図１２】
2008234666.tif 000014
【図１３】
2008234666.tif 000015
【図１４】
2008234666.tif 000016
【図１５】
2008234666.tif 000017
【図１６】
2008234666.tif 000018
【図１７】
2008234666.tif 000019
【図１８】
2008234666.tif 000020